Podtech/llm-jp-corpus-v4-ja_patent huggingface dataset:
【手続補正書】
【提出日】平成28年6月6日(2016.6.6)
【手続補正１】
【補正対象書類名】特許請求の範囲
【補正対象項目名】全文
【補正方法】変更
【補正の内容】
【特許請求の範囲】
【請求項１】
無線通信方法であって、
１以上のベクトルでシフトレジスタ出力値をマスクすることにより、シーケンスジェネレータ用のサイクリックシフトを生成することと、ここにおいて、ベクトルは、シーケンスジェネレータ多項式及び所望のサイクリックなシフトから生成される、
前記シーケンスジェネレータの所望の将来の状態の直前に発生する連続するビットのシーケンス
を生成するために、前記出力値及び前記ベクトルの一部に基づいて前記シーケンスジェネレータを将来の状態へ進めることと、
前記シーケンスジェネレータのシフトレジスタを初期化するために、前記連続するビットのシーケンスを使用することと
の動作を実行するようにコンピュータ可読記憶媒体に記憶されたコンピュータ実行可能指示を実行するプロセッサを使用すること
を備える、無線通信方法。
【請求項２】
前記シーケンスジェネレータ用の１以上のｍシーケンスを生成することをさらに備える、請求項１記載の方法。
【請求項３】
前記ｍシーケンスは、ゴールドシーケンスを形成するためにセットとして組み合わせることをさらに備える、請求項２記載の方法。
【請求項４】
少なくとも２セットの前記ｍシーケンスの排他的ＯＲ演算によって前記ゴールドシーケンスを形成することをさらに含む、請求項３記載の方法。
【請求項５】
モジュロ２加算器を介して前記サイクリックシフトを生成することをさらに備える、請求項１記載の方法。
【請求項６】
前記モジュロ２加算器を介して付加的な多項式値を生成することをさらに備える、請求項５記載の方法。
【請求項７】
少なくとも２セットのｍシーケンスに異なるマスク値を適用することをさらに含む、請求項１記載の方法。
【請求項８】
通信装置であって、
１以上のベクトルでシフトレジスタ出力値をマスクすることにより、シーケンスジェネレータ用のサイクリックシフトを生成することと、ここにおいて、ベクトルは、シーケンスジェネレータ多項式及び所望のサイクリックなシフトから生成される、
前記シーケンスジェネレータの所望の将来の状態の直前に発生する連続するビットのシーケンスを生成するために、前記出力値及び前記ベクトルの一部に基づいて前記シーケンスジェネレータを将来の状態へ進めることと、
前記シーケンスジェネレータのシフトレジスタを初期化するために、前記連続するビットのシーケンスを使用することと
を行うための指示を保持するメモリと、
前記指示を実行するプロセッサと
を備える、通信装置。
【請求項９】
前記シーケンスジェネレータ用に使用される１以上のｍシーケンスを生成するための指示をさらに備える、請求項８記載の装置。
【請求項１０】
前記ｍシーケンスは、ゴールドシーケンスを形成するためにセットとして組み合わせるため指示をさらに備える、請求項９記載の装置。
【請求項１１】
少なくとも２セットの前記ｍシーケンスの排他的ＯＲ演算によって前記ゴールドシーケンスを形成するための指示をさらに備える、請求項１０記載の装置。
【請求項１２】
モジュロ２加算器を介して前記サイクリックシフトを生成するための指示をさらに備える、請求項８記載の装置。
【請求項１３】
前記モジュロ２加算器を介して付加的な多項式値を生成するための指示をさらに備える、請求項１２記載の装置。
【請求項１４】
少なくとも２セットのｍシーケンスに異なるマスク値を適用する指示をさらに備える、請求項８記載の装置。
【請求項１５】
コンピュータ上で動くとき、請求項１乃至７のいずれかに記載の方法を実行するための指示を備える、コンピュータプログラム。
【手続補正書】
【提出日】平成28年1月7日(2016.1.7)
【手続補正１】
【補正対象書類名】特許請求の範囲
【補正対象項目名】全文
【補正方法】変更
【補正の内容】
【特許請求の範囲】
【請求項１】
配列番号：１（IgG1定常領域）に記載のアミノ酸配列において、３２９番目（EUナンバリング446番目）のGlyの欠損と３３０番目（EUナンバリング447番目）のLysの欠損を含み、C末端アミノ酸がアミド化されていないヒト抗体定常領域であって、前記欠損は当該ヒト抗体定常領域のCH3ドメインの熱安定性に影響せず、かつ、当該ヒト抗体定常領域を有する抗体は野生型IgG1定常領域を有する抗体と比較してＣ末端アミノ酸のアミド化に起因するヘテロジェニティーが低減されている、ヒト抗体定常領域。
【請求項２】
さらに、配列番号：１に記載のアミノ酸配列において、３１７番目（EUナンバリング434番目）のAsnがAlaに置換されている、請求項１に記載のヒト抗体定常領域。
【請求項３】
請求項１又は２に記載のヒト抗体定常領域を有する抗体。
【請求項４】
キメラ抗体、ヒト化抗体、完全ヒト化抗体、又はヒト抗体である、請求項３に記載の抗体。
【請求項５】
請求項３又は４に記載の抗体を含む医薬組成物。
【請求項６】
以下の(a)、(b)又は(c)に記載のヒト抗体定常領域をコードするDNAが導入された宿主細胞を培養する工程を含む、当該ヒト抗体定常領域を有する抗体であって野生型定常領域を有する抗体と比較してＣ末端アミノ酸のアミド化に起因するヘテロジェニティーが低減された抗体の製造方法：
(a)配列番号：１（IgG1定常領域）に記載のアミノ酸配列において、３２９番目（EUナンバリング446番目）のGlyの欠損と３３０番目（EUナンバリング447番目）のLysの欠損を含むアミノ酸配列を有するヒト抗体定常領域であって、前記欠損はヒト抗体定常領域のCH3ドメインの熱安定性に影響せず、かつ、当該ヒト抗体定常領域を有する抗体は野生型IgG1定常領域を有する抗体と比較してＣ末端アミノ酸のアミド化に起因するヘテロジェニティーが低減されている、ヒト抗体定常領域；
(b)配列番号：２（IgG2定常領域）に記載のアミノ酸配列において、３２５番目（EUナンバリング446番目）のGlyの欠損と３２６番目（EUナンバリング447番目）のLysの欠損を含むアミノ酸配列を有するヒト抗体定常領域であって、前記欠損はヒト抗体定常領域のCH3ドメインの熱安定性に影響せず、かつ、当該ヒト抗体定常領域を有する抗体は野生型IgG2定常領域を有する抗体と比較してＣ末端アミノ酸のアミド化に起因するヘテロジェニティーが低減されている、ヒト抗体定常領域；又は、
(c)配列番号：３（IgG4定常領域）に記載のアミノ酸配列において、３２６番目（EUナンバリング446番目）のGlyの欠損と３２７番目（EUナンバリング447番目）のLysの欠損を含むアミノ酸配列を有するヒト抗体定常領域であって、前記欠損はヒト抗体定常領域のCH3ドメインの熱安定性に影響せず、かつ当該ヒト抗体定常領域を有する抗体は野生型IgG4定常領域を有する抗体と比較してＣ末端アミノ酸のアミド化に起因するヘテロジェニティーが低減されている、ヒト抗体定常領域。
【請求項７】
前記抗体が、IgG抗体である、請求項６に記載の方法。
【請求項８】
前記抗体が、キメラ抗体、ヒト化抗体、完全ヒト化抗体、又はヒト抗体である、請求項６又は７に記載の方法。
【請求項９】
可変領域と定常領域を含む、キメラ抗体、ヒト化抗体、完全ヒト化抗体、又はヒト抗体である抗体であって、前記定常領域として、以下の(A)、(B)又は(C)に記載の少なくとも１種類のヒト抗体定常領域のみを有する抗体：
(A) 配列番号：１（IgG1定常領域）に記載のアミノ酸配列において、３２９番目（EUナンバリング446番目）のGlyの欠損と３３０番目（EUナンバリング447番目）のLysの欠損を含むヒト抗体定常領域であって、前記欠損は当該ヒト抗体定常領域のCH3ドメインの熱安定性に影響せず、かつ、当該ヒト抗体定常領域を有する抗体は野生型IgG1定常領域を有する抗体と比較してＣ末端アミノ酸のアミド化に起因するヘテロジェニティーが低減されている、ヒト抗体定常領域；
(B) 配列番号：２（IgG2定常領域）に記載のアミノ酸配列において、３２５番目（EUナンバリング446番目）のGlyの欠損と３２６番目（EUナンバリング447番目）のLysの欠損を含むヒト抗体定常領域であって、前記欠損は当該ヒト抗体定常領域のCH3ドメインの熱安定性に影響せず、かつ、当該ヒト抗体定常領域を有する抗体は野生型IgG2定常領域を有する抗体と比較してＣ末端アミノ酸のアミド化に起因するヘテロジェニティーが低減されている、ヒト抗体定常領域；又は、
(C) 配列番号：３（IgG4定常領域）に記載のアミノ酸配列において、３２６番目（EUナンバリング446番目）のGlyの欠損と３２７番目（EUナンバリング447番目）のLysの欠損を含むヒト抗体定常領域であって、前記欠損は当該ヒト抗体定常領域のCH3ドメインの熱安定性に影響せず、かつ、当該ヒト抗体定常領域を有する抗体は野生型IgG4定常領域を有する抗体と比較してＣ末端アミノ酸のアミド化に起因するヘテロジェニティーが低減されている、ヒト抗体定常領域。
【請求項１０】
前記定常領域として、前記(A)、(B)又は(C)に記載の１種類のヒト抗体定常領域のみを有する、請求項９に記載の抗体。
【請求項１１】
前記抗体がIgG抗体である、請求項９又は１０に記載の抗体。
【請求項１２】
前記抗体が二重特異性抗体である、請求項９〜１１のいずれかに記載の抗体。
【請求項１３】
前記抗体が抗IL-31レセプター抗体、又は抗RANKL抗体である、請求項９〜１１のいずれかに記載の抗体。
【請求項１４】
前記抗体が抗IL-6レセプター抗体である、請求項９〜１１のいずれかに記載の抗体。
【請求項１５】
請求項９〜１４のいずれかに記載の抗体、及び、医薬的に許容し得る担体を含む医薬組成物。
【請求項１６】
抗体のC末端アミノ酸のアミド化に起因するヘテロジェニティーを低減させるための、請求項１５に記載の医薬組成物。
【手続補正書】
【提出日】平成28年5月17日(2016.5.17)
【手続補正１】
【補正対象書類名】特許請求の範囲
【補正対象項目名】全文
【補正方法】変更
【補正の内容】
【特許請求の範囲】
【請求項１】
１，１，２，３−テトラクロロプロペン及びフッ化水素から実質的に構成される共沸混合物様混合物を含む組成物。
【請求項２】
該共沸混合物様混合物が１〜９５重量％のフッ化水素及び５〜９９重量％の１，１，２，３−テトラクロロプロペンから実質的に構成される、請求項１に記載の組成物。
【請求項３】
該共沸混合物様混合物が５〜９５重量％のフッ化水素及び５〜９５重量％の１，１，２，３−テトラクロロプロペンから実質的に構成される、請求項１に記載の組成物。
【請求項４】
該共沸混合物様混合物が５５〜９５重量％のフッ化水素及び５〜４５重量％の１，１，２，３−テトラクロロプロペンから実質的に構成される、請求項１に記載の組成物。
【請求項５】
該共沸混合物様混合物が７４．８９〜９５重量％のフッ化水素及び５〜２５．１１重量％の１，１，２，３−テトラクロロプロペンから実質的に構成される、請求項１に記載の組成物。
【請求項６】
該共沸混合物様混合物から実質的に構成される、請求項１に記載の組成物。
【請求項７】
不活性希釈剤、洗浄剤、噴射剤、共噴射剤、及び共溶媒から選択される少なくとも１種類の成分を更に含む、請求項１に記載の組成物。
【請求項８】
少なくとも５０重量％の該共沸混合物様混合物を有する、請求項６に記載の組成物。
【請求項９】
請求項１〜７のいずれかに記載の組成物を含む噴霧可能な組成物。
【請求項１０】
ａ．１，１，２，３−テトラクロロプロペン及びフッ化水素から実質的に構成される共沸混合物様組成物を準備し；
ｂ．１，１，２，３−テトラクロロプロペンの少なくとも一部を気相中においてフッ素化剤と反応させて少なくとも１種類のフッ素化有機化合物を製造する；
ことを含む、有機化合物をフッ素化する方法。
【請求項１１】
有効量の１，１，２，３−テトラクロロプロペン及びフッ化水素をブレンドして、１，１，２，３−テトラクロロプロペン及びフッ化水素から実質的に構成される共沸混合物様混合物を形成することを含む、ヒドロクロロプロパンの沸点を低下させる方法。
【手続補正書】
【提出日】平成28年5月17日(2016.5.17)
【手続補正１】
【補正対象書類名】特許請求の範囲
【補正対象項目名】全文
【補正方法】変更
【補正の内容】
【特許請求の範囲】
【請求項１】
屋根に太陽光を電力に変換する光電変換手段を備え、家畜を飼育するための建造物であって、
内部に植物を育成する植物育成領域が存在し、
前記屋根には、太陽光が内部に透過する透過部と透過しない不透過部があり、
前記屋根及び外壁の少なくとも一部に、内部への野鳥の糞の入り込みを遮る遮蔽部材が配置され、
前記光電変換手段は、前記不透過部に存在するものであり、
前記透過部は、建造物の内部空間と外部を常に連通させ、空気が自由に出入り可能であると共に、前記透過部を透過した太陽光は、前記植物育成領域に射す、建造物。
【手続補正書】
【提出日】平成28年2月15日(2016.2.15)
【手続補正１】
【補正対象書類名】特許請求の範囲
【補正対象項目名】全文
【補正方法】変更
【補正の内容】
【特許請求の範囲】
【請求項１】
油脂に０．０２〜０．０８質量％の乳化剤を配合してなり、
前記乳化剤が、０．０６〜０．０８質量％のクエン酸モノオレイン酸グリセリン、０．０２〜０．０４質量％のポリオキシエチレンソルビタンモノオレエート、０．０２〜０．０８質量％のショ糖エルカ酸エステル、及び構成する脂肪酸の４７質量％以上が多価不飽和脂肪酸である０．０２〜０．０８質量％の脂肪酸モノグリセリドからなる群から選択される少なくとも１つであり、
加熱調理後の調理対象物に残存する油分を低減するものである、
ことを特徴とする、加熱調理用油脂組成物。
【請求項２】
前記ショ糖エルカ酸エステルのＨＬＢ値が、１．５〜３．０である、請求項１に記載の加熱調理用油脂組成物。
【請求項３】
前記乳化剤中に、コハク酸モノオレイン酸グリセリンも配合してなる、請求項１又は２に記載の加熱調理用油脂組成物。
【請求項４】
油脂の精製工程の後に、精製油脂に０．０２〜０．０８質量％の乳化剤を添加する工程を含み、
前記乳化剤が、０．０６〜０．０８質量％のクエン酸モノオレイン酸グリセリン、０．０２〜０．０４質量％のポリオキシエチレンソルビタンモノオレエート、０．０２〜０．０８質量％のショ糖エルカ酸エステル、及び構成する脂肪酸の４７質量％以上が多価不飽和脂肪酸である０．０２〜０．０８質量％の脂肪酸モノグリセリドからなる群から選択される少なくとも１つであり、
加熱調理後の調理対象物に残存する油分を低減するものである、
ことを特徴とする、加熱調理用油脂組成物の製造方法。
【請求項５】
前記乳化剤中に、コハク酸モノオレイン酸グリセリンも配合してなる、請求項４に記載の加熱調理用油脂組成物の製造方法。
【請求項６】
油脂に０．０２〜０．０８質量％の乳化剤を配合してなる加熱調理用油脂組成物を加熱調理に用いることで、加熱調理後の調理対象物に残存する油分を低減させる方法であって、
前記乳化剤が、クエン酸モノオレイン酸グリセリン、ポリオキシエチレンソルビタンモノオレエート、ショ糖エルカ酸エステル、及び構成する脂肪酸の４７質量％以上が多価不飽和脂肪酸である脂肪酸モノグリセリドからなる群から選択される少なくとも１つである、加熱調理後の調理対象物に残存する油分を低減させる方法。
【請求項７】
前記乳化剤中に、コハク酸モノオレイン酸グリセリンも配合してなる、請求項６に記載の加熱調理後の調理対象物に残存する油分を低減させる方法。
【手続補正書】
【提出日】平成28年2月19日(2016.2.19)
【手続補正１】
【補正対象書類名】特許請求の範囲
【補正対象項目名】全文
【補正方法】変更
【補正の内容】
【特許請求の範囲】
【請求項１】
１）ルリコナゾール３〜８質量％と、２）ベンジルアルコール１〜３質量％と、３）Ｎ−メチル−２−ピロリドン６〜１５質量％とを含有し、透明溶液である医薬組成物を、
内容物を充填可能な樹脂容器であって、灰、緑又は茶色で着色した樹脂面を有する、樹脂容器に充填してなる、医薬。
【請求項２】
前記樹脂容器は、紫外可視吸光度スペクトルの測定において、透過性を示さないものであることを特徴とする、請求項１に記載の医薬。
【請求項３】
前記樹脂容器の材質は、ポリプロピレン又はポリエチレンであることを特徴とする、請求項１又は２に記載の医薬。
【請求項４】
前記樹脂容器は、ボトル容器であることを特徴とする、請求項１〜３の何れか１項に記載の医薬。
【請求項５】
前記医薬組成物は、ローション剤形であることを特徴とする、請求項１〜４の何れか１項に記載の医薬。
【請求項６】
前記医薬組成物は、更に、二塩基酸のジエステルを１０〜１６質量％含有することを特徴とする、請求項１〜５の何れか１項に記載の医薬。
【請求項７】
前記医薬組成物は、更に、有機酸を３〜６質量％含有することを特徴とする、請求項１〜６の何れか１項に記載の医薬。
【請求項８】
前記有機酸は、乳酸であることを特徴とする、請求項７に記載の医薬。
【請求項９】
前記医薬組成物は、以下の物性を有することを特徴とする、請求項１〜８の何れか１項に記載の医薬。
１）室温で３年間の保存条件で結晶を析出しない。
２）ルリコナゾールのＳＥ体の含有量は、ルリコナゾールの配合量に対して０．５質量％以下である。
３）ルリコナゾールのＺ体の含有量は、ルリコナゾールの配合量に対して０．５質量％以下である。
４）ＳＥ体の生成量は、４０℃で６ヶ月の保存条件で、ルリコナゾールの配合量に対して０．２質量％以下である。
５）Ｚ体の生成量は、４０℃で６ヶ月の保存条件で、ルリコナゾールの配合量に対して０．２質量％以下である。
６）爪上に塗布した直後に爪上に結晶を析出しない。
【請求項１０】
前記医薬組成物は、
Ｎ−メチル−２−ピロリドンの一部でルリコナゾールを濡らし、
これにベンジルアルコールと有機酸とを加えて分散させた後、
これに残余の成分を加えて製造されることを特徴とする、請求項７〜９の何れか１項に記載の医薬。
【請求項１１】
１）ルリコナゾール３〜８質量％と、２）ベンジルアルコール１〜３質量％と、３）Ｎ−メチル−２−ピロリドン６〜１５質量％とを含有する、透明溶液である医薬組成物。
【請求項１２】
更に、二塩基酸のジエステルを１０〜１６質量％含有することを特徴とする、請求項１１に記載の医薬組成物。
【請求項１３】
更に、有機酸を３〜６質量％含有することを特徴とする、請求項１１又は１２に記載の医薬組成物。
【請求項１４】
前記有機酸は、乳酸であることを特徴とする、請求項１３に記載の医薬組成物。
【請求項１５】
以下の物性を有することを特徴とする、請求項１１〜１４の何れか１項に記載の医薬組成物。
１）室温で３年間の保存条件で結晶を析出しない。
２）ルリコナゾールのＳＥ体の含有量は、ルリコナゾールの配合量に対して０．５質量％以下である。
３）ルリコナゾールのＺ体の含有量は、ルリコナゾールの配合量に対して０．５質量％以下である。
４）ＳＥ体の生成量は、４０℃で６ヶ月の保存条件で、ルリコナゾールの配合量に対して０．２質量％以下である。
５）Ｚ体の生成量は、４０℃で６ヶ月の保存条件で、ルリコナゾールの配合量に対して０．２質量％以下である。
６）爪上に塗布した直後に爪上に結晶を析出しない。
【請求項１６】
Ｎ−メチル−２−ピロリドンの一部でルリコナゾールを濡らし、
これにベンジルアルコールと有機酸とを加えて分散させた後、
これに残余の成分を加えて製造されることを特徴とする、請求項１３〜１５の何れか１項に記載の医薬組成物。
【手続補正書】
【提出日】平成28年3月31日(2016.3.31)
【手続補正１】
【補正対象書類名】特許請求の範囲
【補正対象項目名】全文
【補正方法】変更
【補正の内容】
【特許請求の範囲】
【請求項１】
遊技者に当否判定結果を報知する識別図柄を表示する主表示装置と、
前記主表示装置よりも前方で少なくとも一部が当該主表示装置に重なる演出位置に移動可能であり、前方に向かって光を出射する発光部を有する可動体と、
画像が表示されていない領域が透明となる表示装置であって、前記可動体よりも前方で前記主表示装置および前記演出位置に位置する前記可動体に重なり、前記演出位置に位置する前記可動体の発光部の少なくとも一部に重ならない第一演出画像を表示可能な第一副表示装置と、
を備え、
前記可動体を前記演出位置に位置させるとともに、前記第一副表示装置に前記第一演出画像を表示させることで、前記演出位置に位置する可動体と前記第一演出画像が組み合わされた第一特別演出態様が形成された状態と、
前記第一副表示装置に前記第一演出画像を表示せず、前記演出位置に位置する前記可動体がそのまま視認される状態と、
が切り替わる演出が実行可能であることを特徴とする遊技機。
【請求項２】
前記第一演出画像は、前記可動体を模した形状を含むものであることを特徴とする請求項１に記載の遊技機。
【請求項３】
画像が表示されていない領域が透明となる表示装置であって、前記可動体よりも前方で前記主表示装置および前記演出位置に位置する前記可動体に重なり、前記第一副表示装置にも重なる第二副表示装置を備え、
前記第二副表示装置は、前記演出位置に位置する前記可動体の発光部の少なくとも一部に重ならない前記第一演出画像とは異なる前記第二演出画像を表示可能であり、
前記演出位置に位置する可動体に前記第一画像が組み合わされた第一特別演出態様が形成された状態と、
前記演出位置に位置する可動体に前記第二可動体が組み合わされた第二特別演出態様が形成された状態と、
が切り替わる切替演出が実行可能であることを特徴とする請求項１または請求項２に記載の遊技機。
【請求項４】
前記第二演出画像は、前記第一演出画像よりも前記可動体の発光部に重なる領域が大きいことを特徴とする請求項３に記載の遊技機。
【請求項５】
前記第一演出画像は、前記可動体を模した形状を含むものであり、
前記第二演出画像は、前記第一演出画像とは異なる前記可動体を模した形状を含むものであることを特徴とする請求項３または請求項４に記載の遊技機。
【請求項６】
前記第一演出画像における前記可動体に重ならない部分の画像と、前記第二演出画像における前記可動体に重ならない部分の画像は、異なる画像であることを特徴とする請求項３から請求項５のいずれか一項に記載の遊技機。
【請求項７】
前記第二演出画像における前記可動体に重ならない部分の画像は、前記第一演出画像における前記可動体に重ならない部分の画像を模したものであることを特徴とする請求項６に記載の遊技機。
【手続補正２】
【補正対象書類名】明細書
【補正対象項目名】０００５
【補正方法】変更
【補正の内容】
【０００５】
上記課題を解決するためになされた請求項１の発明にかかる遊技機は、遊技者に当否判定結果を報知する識別図柄を表示する主表示装置と、前記主表示装置よりも前方で少なくとも一部が当該主表示装置に重なる演出位置に移動可能であり、前方に向かって光を出射する発光部を有する可動体と、画像が表示されていない領域が透明となる表示装置であって、前記可動体よりも前方で前記主表示装置および前記演出位置に位置する前記可動体に重なり、前記演出位置に位置する前記可動体の発光部の少なくとも一部に重ならない第一演出画像を表示可能な第一副表示装置と、を備え、前記可動体を前記演出位置に位置させるとともに、前記第一副表示装置に前記第一演出画像を表示させることで、前記演出位置に位置する可動体と前記第一演出画像が組み合わされた第一特別演出態様が形成された状態と、前記第一副表示装置に前記第一演出画像を表示せず、前記演出位置に位置する前記可動体がそのまま視認される状態と、が切り替わる演出が実行可能であることを特徴とする。
【手続補正３】
【補正対象書類名】明細書
【補正対象項目名】０００７
【補正方法】変更
【補正の内容】
【０００７】
請求項３に記載の発明は、請求項１または請求項２に記載の遊技機において、画像が表示されていない領域が透明となる表示装置であって、前記可動体よりも前方で前記主表示装置および前記演出位置に位置する前記可動体に重なり、前記第一副表示装置にも重なる第二副表示装置を備え、前記第二副表示装置は、前記演出位置に位置する前記可動体の発光部の少なくとも一部に重ならない前記第一演出画像とは異なる前記第二演出画像を表示可能であり、前記演出位置に位置する可動体に前記第一画像が組み合わされた第一特別演出態様が形成された状態と、前記演出位置に位置する可動体に前記第二可動体が組み合わされた第二特別演出態様が形成された状態と、が切り替わる切替演出が実行可能であることを特徴とする。
【手続補正書】
【提出日】平成28年9月27日(2016.9.27)
【手続補正１】
【補正対象書類名】特許請求の範囲
【補正対象項目名】全文
【補正方法】変更
【補正の内容】
【特許請求の範囲】
【請求項１】
被検部位を接触部に接触させて生体情報を測定する測定装置であって、
前記接触部における前記被検部位の接触状態を検出する接触状態検出部と、
前記被検部位から生体情報を取得する生体センサと、
報知部と、
前記生体センサの出力に基づいて前記生体情報を測定する制御部と、を備え、
前記制御部は、前記接触状態検出部からの出力に基づいて、前記接触部における前記被検部位の前記接触状態を判断し、前記接触状態に関する情報を前記報知部から報知させる、
測定装置。
【請求項２】
前記制御部は、前記接触状態が前記生体情報の測定に適していると判断すると、前記生体センサを起動する、請求項１に記載の測定装置。
【請求項３】
前記接触状態に関する情報は、前記被検部位と前記接触部との位置関係に関する情報を含む、請求項１に記載の測定装置。
【請求項４】
前記接触状態検出部は照度測定部を備え、
前記制御部は、前記照度測定部が測定した照度に関する情報の出力に基づいて前記接触状態を判断する、請求項１に記載の測定装置。
【請求項５】
前記照度測定部は、当該測定装置において前記生体センサの周囲に複数配置され、
前記制御部は、前記複数の照度測定部のそれぞれが測定した照度に関する情報の出力に基づいて前記接触状態を判断する、請求項４に記載の測定装置。
【請求項６】
前記複数の照度測定部は、前記生体センサを中心とした同一円周上に配置される、請求項５に記載の測定装置。
【請求項７】
前記制御部は、前記複数の照度測定部のいずれかが測定した照度が所定の照度閾値未満である場合、前記複数の照度測定部のうち、最も高い照度を測定する照度測定部を特定し、当該特定した照度測定部の方向へ被検部位を移動すべき旨を前記報知部から報知させる、請求項５に記載の測定装置。
【請求項８】
前記接触状態検出部はタッチパネルを備え、
前記制御部は、前記タッチパネルが検出した前記被検部位の接触位置に関する情報の出力に基づいて前記接触状態を判断する、請求項１に記載の測定装置。
【請求項９】
前記生体情報は、血流に関する情報を含む、請求項１に記載の測定装置。
【請求項１０】
被検部位を接触部に接触させて生体情報を測定するにあたり、
接触状態検出部により、前記接触部における前記被検部位の接触状態を検出するステップと、
制御部により、前記接触状態検出部からの出力に基づいて、前記接触部における前記被検部位の前記接触状態を判断し、前記接触状態に関する情報を報知部から報知させるステップと、
生体センサにより、前記被検部位から生体情報を取得するステップと、
前記制御部により、前記生体センサの出力に基づいて前記生体情報を測定するステップと
を含む測定方法。
【手続補正２】
【補正対象書類名】明細書
【補正対象項目名】０００７
【補正方法】削除
【補正の内容】
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正書】
【提出日】平成28年7月25日(2016.7.25)
【手続補正１】
【補正対象書類名】特許請求の範囲
【補正対象項目名】全文
【補正方法】変更
【補正の内容】
【特許請求の範囲】
【請求項１】
可変入賞装置への入賞による第１の始動条件の成立に基づいて、第１表示手段に所定の図柄を変動表示させて、特定図柄が表示されたときに、遊技者にとって有利な特別遊技を発生させる特別遊技発生手段と、
第２の始動条件の成立に基づいて、第２表示手段に所定の図柄を変動表示させて、所定図柄が表示されたときに、前記可変入賞装置を入賞し難い第１状態から入賞し易い第２状態に予め設定された設定時間だけ変化させる制御手段と、
前記可変入賞装置が前記第２状態に実行される場合に、煽り演出を実行する煽り演出実行手段と、
を備えた遊技機であって、
前記煽り演出は所定のモチーフを用いて構成され、
前記煽り演出実行手段による前記煽り演出の実行が終了した後も、前記第２状態に変化している前記可変入賞装置への遊技球の入賞に係る前記図柄の変動表示が終了するまでの間、前記所定のモチーフを用いて、前記煽り演出と異なった前記可変入賞装置への遊技球の入賞に基づく演出を実行するモチーフ演出実行手段、
を備えていることを特徴とする遊技機。
【手続補正２】
【補正対象書類名】明細書
【補正対象項目名】０００８
【補正方法】変更
【補正の内容】
【０００８】
このように、普通電動役物としての始動入賞装置に遊技球を入賞させることは、特別遊技を獲得する上で重要な要因となっている。従って、近年、このような普通電動役物としての始動入賞装置を備えた遊技機では、遊技球が普通図柄作動ゲートを通過し、普通図柄表示装置にて普通図柄の変動表示が開始されると、この普通図柄の変動表示に係って、当該変動表示における普通図柄の抽選結果が当りになるか否かに関する煽り演出が実行されるようになっている。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】変更
【補正の内容】
【００１０】
しかし、煽り演出自体は、その表示内容や表示時期が画一的で、更に遊技機が内部的に選択した演出を一方的に遊技者に見せるだけの構成なので、その結果、今一面白味に欠け、更なる改良が望まれていた。
【手続補正５】
【補正対象書類名】明細書
【補正対象項目名】００１１
【補正方法】変更
【補正の内容】
【００１１】
本発明は、上記したような問題点を解決するためになされたもので、その目的とするところは、煽り演出自体の価値を高めることが可能な遊技機を提供することにある。
【手続補正６】
【補正対象書類名】明細書
【補正対象項目名】００１２
【補正方法】変更
【補正の内容】
【００１２】
このような問題を解決するために、本発明の遊技機は、請求項１に記載したように、可変入賞装置（第２始動入賞装置（電チュー）１１５）への入賞による第１の始動条件の成立に基づいて、第１表示手段（第２特別図柄表示器１２２）に所定の図柄を変動表示させて、特定図柄が表示されたときに、遊技者にとって有利な特別遊技を発生させる特別遊技発生手段（ステップＳ４５０の大入賞装置処理）と、
第２の始動条件の成立（ゲート検出スイッチ３３０ａ，３３０ｂの遊技球の検出）に基づいて、第２表示手段（普通図柄表示装置１１８）に所定の図柄を変動表示させて、所定図柄が表示されたときに、前記可変入賞装置を入賞し難い第１状態から入賞し易い第２状態に予め設定された設定時間だけ変化させる制御手段（ステップＳ４６０の電動チューリップ処理）と、
前記可変入賞装置が前記第２状態に実行される場合に、煽り演出を実行する煽り演出実行手段（普通図柄処理のステップＳ７１８、Ｓ７５６、コマンド受信処理のステップＳ２０１４，Ｓ２０１８）と、
を備えた遊技機であって、
前記煽り演出（ルーレット演出）は所定のモチーフ（たぬ吉Ｍ１）を用いて構成され、
前記煽り演出実行手段による前記煽り演出の実行が終了した後も、前記第２状態に変化している前記可変入賞装置への遊技球の入賞に係る前記図柄の変動表示が終了するまでの間、前記所定のモチーフを用いて、前記煽り演出と異なった前記可変入賞装置への遊技球の入賞に基づく演出（モチーフ演出Ｂ，Ｃ）を実行するモチーフ演出実行手段、
を備えていることを要旨とする。
【手続補正７】
【補正対象書類名】明細書
【補正対象項目名】００１３
【補正方法】削除
【補正の内容】
【手続補正８】
【補正対象書類名】明細書
【補正対象項目名】００１５
【補正方法】変更
【補正の内容】
【００１５】
本発明によれば、煽り演出自体の価値を高めることが可能になる。その結果、遊技の趣向性が向上する。
【手続補正書】
【提出日】平成28年2月26日(2016.2.26)
【手続補正１】
【補正対象書類名】特許請求の範囲
【補正対象項目名】全文
【補正方法】変更
【補正の内容】
【特許請求の範囲】
【請求項１】
遊技領域に遊技媒体を発射することにより遊技を行う遊技機であって、
前記遊技領域に設けられた所定の領域を通過した遊技媒体を検出する検出手段と、
前記検出手段の検出結果に基づいて、異常入賞が発生したか否かを判定する異常入賞判定手段と、
電力供給が開始されたときに、所定の初期化処理を実行する初期化処理実行手段と、
前記異常入賞判定手段によって前記異常入賞が発生したと判定されたこと、または前記初期化処理実行手段によって前記所定の初期化処理が実行されたことに基づいて、セキュリティ信号を遊技機の外部に出力するセキュリティ信号出力手段と、
電力供給が開始されたときに、遊技機の外部に特別状態を示す外部出力信号を、外部において前記セキュリティ信号と区別可能に出力可能な外部出力手段と、
を備え、
前記セキュリティ信号出力手段は、前記所定の初期化処理が実行されたことに基づく前記セキュリティ信号と、前記異常入賞が発生したと判定されたことに基づく前記セキュリティ信号と、を共通の端子から出力するとともに、前記所定の初期化処理が実行されたことに基づく前記セキュリティ信号を所定時間にわたり出力する、
ことを特徴とする遊技機。
【手続補正２】
【補正対象書類名】明細書
【補正対象項目名】０００７
【補正方法】変更
【補正の内容】
【０００７】
上記目的を達成するため、本発明に係る遊技機は、遊技領域（例えば、遊技領域７など）に遊技媒体（例えば遊技球など）を発射することにより遊技を行う遊技機（例えばパチンコ遊技機１など）であって、前記遊技領域に設けられた所定の領域（例えば普通入賞球装置１５ａが形成する第１始動入賞口や普通可変入賞球装置１５ｂが形成する第２始動入賞口など）を通過した遊技媒体を検出する検出手段と、前記検出手段の検出結果に基づいて、異常入賞が発生したか否かを判定する異常入賞判定手段と、電力供給が開始されたときに、所定の初期化処理を実行する初期化処理実行手段と、前記異常入賞判定手段によって前記異常入賞が発生したと判定されたこと、または前記初期化処理実行手段によって前記所定の初期化処理が実行されたことに基づいて、セキュリティ信号を遊技機の外部（例えば、ホールコンピュータなどの外部装置など）に出力するセキュリティ信号出力手段と、電力供給が開始されたときに、遊技機の外部に特別状態を示す外部出力信号を、外部において前記セキュリティ信号と区別可能に出力可能な外部出力手段と、を備え、前記セキュリティ信号出力手段は、前記所定の初期化処理が実行されたことに基づく前記セキュリティ信号と、前記異常入賞が発生したと判定されたことに基づく前記セキュリティ信号と、を共通の端子から出力するとともに、前記所定の初期化処理が実行されたことに基づく前記セキュリティ信号を所定時間にわたり出力する。
【手続補正書】
【提出日】平成28年1月13日(2016.1.13)
【手続補正１】
【補正対象書類名】特許請求の範囲
【補正対象項目名】全文
【補正方法】変更
【補正の内容】
【特許請求の範囲】
【請求項１】
遊技媒体が流下可能な遊技領域が前面に形成される透明板状の遊技パネルと、
前記透明板状の遊技パネルの開口部を通して所定の演出表示領域が視認可能になるように設けられる演出表示装置と、
前記透明板状の遊技パネルの後方に設けられ、所定の待機位置で待機する第１状態と、該第１状態から前記開口部の内方に向けて移動した第２状態と、に変化可能な第１のパネル裏装飾手段と、
前記透明板状の遊技パネルの後方に設けられ、前記透明板状の遊技パネルを通して常に視認可能とされる装飾としての機能と、前記第１状態にある前記第１のパネル裏装飾手段の一部を隠蔽する機能とを併せ持つ第２のパネル裏装飾手段と、
を備え、
前記第１のパネル裏装飾手段は、所定の発光装飾部を有し、
前記発光装飾部は、前記第１のパネル裏装飾手段が前記第１状態にあるときであっても当該遊技機の前方から視認可能な位置に設けられる
ことを特徴とする遊技機。
【手続補正２】
【補正対象書類名】明細書
【補正対象項目名】０００７
【補正方法】変更
【補正の内容】
【０００７】
ところで、従来の期待度演出を含む種々の遊技演出の多くは、液晶表示画面上での表示演出、あるいは、液晶表示画面を視認可能にするための遊技パネル開口の内側に配置された可動体の動作演出で展開されており、同等の演出を行うだけでは遊技興趣の更なる向上を図ることが困難であった。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
本発明は、以上のような従来技術の課題に基づいてなされたものであり、その目的は、遊技興趣の更なる向上を図ることが可能な遊技機を提供することにある。
【手続補正５】
【補正対象書類名】明細書
【補正対象項目名】００１０
【補正方法】変更
【補正の内容】
【００１０】
本発明は、以下のような態様からなる。
遊技媒体が流下可能な遊技領域が前面に形成される透明板状の遊技パネルと、
前記透明板状の遊技パネルの開口部を通して所定の演出表示領域が視認可能になるように設けられる演出表示装置と、
前記透明板状の遊技パネルの後方に設けられ、所定の待機位置で待機する第１状態と、該第１状態から前記開口部の内方に向けて移動した第２状態と、に変化可能な第１のパネル裏装飾手段と、
前記透明板状の遊技パネルの後方に設けられ、前記透明板状の遊技パネルを通して常に視認可能とされる装飾としての機能と、前記第１状態にある前記第１のパネル裏装飾手段の一部を隠蔽する機能とを併せ持つ第２のパネル裏装飾手段と、
を備え、
前記第１のパネル裏装飾手段は、所定の発光装飾部を有し、
前記発光装飾部は、前記第１のパネル裏装飾手段が前記第１状態にあるときであっても当該遊技機の前方から視認可能な位置に設けられることを特徴とする。
また、本発明とは別に参考的に開示する発明は、以下のような態様からなる。
遊戯者による回転操作を可能にする回動部材を備え回転操作を検知する回転操作手段と、前記回転操作手段における操作に基づいて回転する回転装飾体と、情報を記憶する記憶手段と、を備え、
前記記憶手段には、当落情報と、図柄の変動表示を行う図柄変動演出と、前記図柄変動処理中に図柄変動と別に行われる表示演出である変動中演出とを、紐付けて構成した変動パターンと、前記変動パターンごとに、当該変動パターンと紐付けられた当落結果から、前記変動中演出が実行された場合に、図柄の変動結果が大当りになる割合と、さらに、前記変動パターンに基づいて前記当落結果の期待度を示す予告演出と、当該予告演出のそれぞれが実行された場合に大当りに繋がる割合と、が予め記憶され、
遊技球の始動口への入賞を検出する始動口センサと、
前記始動口センサにより遊技球の入賞が検出される毎に大当り抽選を行うための乱数データを発生させ、この乱数について前記記憶手段に記憶された変動パターンのうちいずれに相当するかを決定する乱数発生抽出手段と、
前記変動パターンに基づいて、前記図柄変動演出及び変動中演出が開始される際に、前記回転操作手段の操作受付を開始し、前記変動中演出における大当りの割合を抽出する情報抽出手段と、
前記変動パターンに基づいて、前記予告演出を選択して実行する予告演出手段と、を備え、
前記変動中演出における大当りの割合と、前記予告演出の前記割合とが異なる場合に、前記回転操作手段の操作を検出すると、そのことを前記回転装飾体の回転で示唆する回転装飾体制御手段と、を備えたことを特徴とする遊技機。
【手続補正書】
【提出日】平成28年1月13日(2016.1.13)
【手続補正１】
【補正対象書類名】特許請求の範囲
【補正対象項目名】全文
【補正方法】変更
【補正の内容】
【特許請求の範囲】
【請求項１】
遊技媒体が流下可能な遊技領域が前面に形成される透明板状の遊技パネルと、
前記透明板状の遊技パネルの開口部を通して所定の演出表示領域が視認可能になるように設けられる演出表示装置と、
前記透明板状の遊技パネルの後方に設けられ、所定の待機位置で待機する第１状態と、該第１状態から前記開口部の内方に向けて移動した第２状態と、に変化可能な第１のパネル裏装飾手段と、
前記透明板状の遊技パネルの後方に設けられ、前記透明板状の遊技パネルを通して常に視認可能とされる装飾としての機能と、前記第１状態にある前記第１のパネル裏装飾手段の少なくとも一部を隠蔽する機能とを併せ持つ第２のパネル裏装飾手段と、
を備えたことを特徴とする遊技機。
【請求項２】
請求項１に記載の遊技機において、
前記第１のパネル裏装飾手段は、第１可動部と、第２可動部とを少なくとも有しており、  
前記第１のパネル裏装飾手段が前記第２状態にあるときには、前記第１状態にあるときよりも、前記第１可動部および前記第２可動部が視認容易になるものであって、
前記第１のパネル裏装飾手段が前記第１状態から前記第２状態に変化することに伴い、前記第２可動部と前記第２のパネル裏装飾手段との間に前記第１可動部が視認可能になるように、前記第１可動部および前記第２可動部を設けたことを特徴とする遊技機。
【手続補正２】
【補正対象書類名】明細書
【補正対象項目名】０００７
【補正方法】変更
【補正の内容】
【０００７】
ところで、従来の期待度演出を含む種々の遊技演出の多くは、液晶表示画面上での表示演出、あるいは、液晶表示画面を視認可能にするための遊技パネル開口の内側に配置された可動体の動作演出で展開されており、同等の演出を行うだけでは遊技興趣の更なる向上を図ることが困難であった。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
本発明は、以上のような従来技術の課題に基づいてなされたものであり、その目的は、遊技興趣の更なる向上を図ることが可能な遊技機を提供することにある。
【手続補正５】
【補正対象書類名】明細書
【補正対象項目名】００１０
【補正方法】変更
【補正の内容】
【００１０】
本発明は、以下のような態様からなる。
遊技媒体が流下可能な遊技領域が前面に形成される透明板状の遊技パネルと、
前記透明板状の遊技パネルの開口部を通して所定の演出表示領域が視認可能になるように設けられる演出表示装置と、
前記透明板状の遊技パネルの後方に設けられ、所定の待機位置で待機する第１状態と、該第１状態から前記開口部の内方に向けて移動した第２状態と、に変化可能な第１のパネル裏装飾手段と、
前記透明板状の遊技パネルの後方に設けられ、前記透明板状の遊技パネルを通して常に視認可能とされる装飾としての機能と、前記第１状態にある前記第１のパネル裏装飾手段の少なくとも一部を隠蔽する機能とを併せ持つ第２のパネル裏装飾手段と、
を備えたことを特徴とする。
また、前記第１のパネル裏装飾手段は、第１可動部と、第２可動部とを少なくとも有しており、  
前記第１のパネル裏装飾手段が前記第２状態にあるときには、前記第１状態にあるときよりも、前記第１可動部および前記第２可動部が視認容易になるものであって、
前記第１のパネル裏装飾手段が前記第１状態から前記第２状態に変化することに伴い、前記第２可動部と前記第２のパネル裏装飾手段との間に前記第１可動部が視認可能になるように、前記第１可動部および前記第２可動部を設けたことを特徴とする。
また、本発明とは別に参考的に開示する発明は、以下のような態様からなる。
遊技球の始動口への入賞を検出する始動口センサと、
前記始動口センサにより遊技球の入賞が検出される毎に大当り抽選を行うための乱数データを発生させる乱数発生手段と、
前記乱数発生手段により発生した乱数データを一時的に記憶し、記憶したデータ数を保留数とする保留数記憶手段と、
前記乱数データから変動表示パターンを設定する変動表示パターン設定手段と、
画像を表示可能な表示手段と、
前記設定された変動表示パターンに基づいて、前記表示手段を制御することによって、図柄の変動表示を行う図柄変動演出と、変動表示している前記図柄の停止表示を行う図柄停止演出と、前記図柄変動処理中に行われる表示演出である変動中演出とを実現可能な変動演出制御手段と、
遊戯者による回転操作を可能にする回動部材を備え回転操作を検知する回転操作手段と、
前記回転部材の操作内容に応じて演出を実行する演出実行手段と、
盤面上で回転駆動により回転表現を行う回転装飾体と、を備え、
前記変動中演出には、前記変動表示パターンに基づいて決定される大当りの可能性を予告する期待度演出を含み、
前記期待度演出は、予め決められた複数の予告パターンから選択して決定されるものであり、
前記演出実行手段は、前記乱数データから判別できる当落抽選の結果と、前記選択された予告パターンにおける期待度演出とが異なる場合に、前記回転操作手段において回転操作を検出すると、前記役物又は表示制御手段による表示物を即時に回転させて、異なる状態を示唆することを特徴とする遊技機。
【手続補正書】
【提出日】平成28年3月30日(2016.3.30)
【手続補正１】
【補正対象書類名】特許請求の範囲
【補正対象項目名】全文
【補正方法】変更
【補正の内容】
【特許請求の範囲】
【請求項１】
可変表示を行い、表示結果として予め定められた特定表示結果が導出表示されたときに、遊技者にとって有利な有利状態に制御可能な遊技機であって、
遊技者の第１の動作を検出する第１の検出手段と、
遊技者の第２の動作を検出する第２の検出手段と、
遊技者に前記第１の動作を行うことを促進する第１の促進演出と、遊技者に前記第２の動作を行うことを促進する第２の促進演出とを実行する促進演出実行手段と、
を備え、
前記促進演出実行手段は、
前記第１の促進演出と前記第２の促進演出のそれぞれついて、演出態様が異なる複数の促進演出を実行可能であって、
前記第１の促進演出の実行前と実行後の少なくともいずれか一方における所定期間および前記第１の促進演出の実行中の期間は前記第２の促進演出の実行を制限する、
ことを特徴とする遊技機。
【手続補正２】
【補正対象書類名】明細書
【補正対象項目名】０００８
【補正方法】変更
【補正の内容】
【０００８】
前記課題を解決するために、本発明の請求項１に記載の遊技機は、
可変表示を行い、表示結果として予め定められた特定表示結果（例えば、大当り図柄）が導出表示されたときに、遊技者にとって有利な有利状態（例えば、大当り状態）に制御可能な遊技機（パチンコ遊技機１）であって、
遊技者の第１の動作（例えば、スティックコントローラ３１Ａを手前に引く動作または遊技機側に押す動作）を検出する第１の検出手段（例えばコントローラセンサユニット３
５Ａ）と、
遊技者の第２の動作（プッシュボタン３１Ｂを連打または長押しする動作）を検出する第２の検出手段（例えばプッシュセンサ３５Ｂなど）と、
遊技者に前記第１の動作を行うことを促進する第１の促進演出と、遊技者に前記第２の動作を行うことを促進する第２の促進演出とを実行する促進演出実行手段（例えば、演出制御用ＣＰＵ１２０が、図２３の変動表示中演出処理を実施する部分）と、
を備え、
前記促進演出実行手段は、
前記第１の促進演出と前記第２の促進演出のそれぞれついて、演出態様が異なる複数の促進演出を実行可能であって、
前記第１の促進演出の実行前と実行後の少なくともいずれか一方における所定期間および前記第１の促進演出の実行中の期間は前記第２の促進演出の実行を制限する、
ことを特徴としている。
この特徴によれば、第１の促進演出の実行前と実行後の少なくともいずれか一方における所定期間および第１の促進演出の実行中の期間は第２の促進演出の実行が制限されるため、遊技者の動作が煩雑になることによる遊技興趣の低下を防止することができる。また、演出態様が異なる複数の促進演出が実行されるため、遊技興趣を向上させることができる。
【手続補正３】
【補正対象書類名】明細書
【補正対象項目名】０１３１
【補正方法】変更
【補正の内容】
【０１３１】
主基板１１では、所定の電源基板からの電力供給が開始されると、遊技制御用マイクロコンピュータ１００が起動し、ＣＰＵ１０３によって遊技制御メイン処理となる所定の処理が実行される。遊技制御メイン処理を開始すると、ＣＰＵ１０３は、割込み禁止に設定した後、必要な初期設定を行う。この初期設定では、例えばＲＡＭ１０２がクリアされる。また、遊技制御用マイクロコンピュータ１００に内蔵されたＣＴＣ（カウンタ／タイマ回路）のレジスタ設定を行う。これにより、以後、所定時間（例えば、２ミリ秒）ごとにＣＴＣから割込み要求信号がＣＰＵ１０３へ送出され、ＣＰＵ１０３は定期的にタイマ割込み処理を実行することができる。初期設定が終了すると、割込みを許可した後、ループ処理に入る。なお、遊技制御メイン処理では、パチンコ遊技機１の内部状態を前回の電力供給停止時における状態に復帰させるための処理を実行してから、ループ処理に入るようにしてもよい。
【手続補正書】
【提出日】平成28年3月30日(2016.3.30)
【手続補正１】
【補正対象書類名】特許請求の範囲
【補正対象項目名】全文
【補正方法】変更
【補正の内容】
【特許請求の範囲】
【請求項１】
可変表示を行い、表示結果として予め定められた特定表示結果が導出表示されたときに、遊技者にとって有利な有利状態に制御可能な遊技機であって、
前記有利状態に制御するか否かを決定する決定手段と、
遊技者の第１の動作を検出する第１の検出手段と、
遊技者の第２の動作を検出する第２の検出手段と、
遊技者に前記第１の動作を行うことを促進する第１の促進演出または遊技者に前記第２の動作を行うことを促進する第２の促進演出を実行する促進演出実行手段と、
前記決定手段が前記有利状態に制御することを所定の第１確率で決定する第１状態と、前記決定手段が前記有利状態に制御することを前記第１確率よりも高い第２確率で決定する第２状態と、に遊技状態を制御可能な遊技制御手段と、
を備え、
前記促進演出実行手段は、前記第１の促進演出の実行前と実行後の少なくともいずれか一方における所定期間および前記第１の促進演出の実行中の期間は前記第２の促進演出の実行を制限し、
前記遊技制御手段は、前記第１の促進演出が実行された後に前記特定表示結果となったときと前記第２の促進演出が実行された後に前記特定表示結果となったときとで、異なる確率にて前記第２状態に制御する、
ことを特徴とする遊技機。
【手続補正２】
【補正対象書類名】明細書
【補正対象項目名】０００８
【補正方法】変更
【補正の内容】
【０００８】
前記課題を解決するために、本発明の請求項１に記載の遊技機は、
可変表示を行い、表示結果として予め定められた特定表示結果（例えば、大当り図柄）が導出表示されたときに、遊技者にとって有利状態（例えば、大当り状態）に制御可能な遊技機（パチンコ遊技機１）であって、
前記有利状態に制御とするか否かを決定する決定手段（例えば、遊技制御用マイクロコンピュータ１００がステップＳ２４０を実施する部分）と、
遊技者の第１の動作（例えば、スティックコントローラ３１Ａを手前に引く動作または遊技機側に押す動作）を検出する第１の検出手段（例えばコントローラセンサユニット３
５Ａ）と、
遊技者の第２の動作（プッシュボタン３１Ｂを連打または長押しする動作）を検出する第２の検出手段（例えばプッシュセンサ３５Ｂなど）と、
遊技者に前記第１の動作を行うことを促進する第１の促進演出または遊技者に前記第２の動作を行うことを促進する第２の促進演出を実行する促進演出実行手段（例えば、演出制御用ＣＰＵ１２０が、図２３の変動表示中演出処理を実施する部分）と、
前記決定手段が前記有利状態に制御することを所定の第１確率で決定する第１状態と、前記決定手段が前記有利状態に制御することを前記第１確率よりも高い第２確率で決定する第２状態と、に遊技状態を制御可能な遊技制御手段と、
を備え、
前記促進演出実行手段は、前記第１の促進演出の実行前と実行後の少なくともいずれか一方における所定期間および前記第１の促進演出の実行中の期間は前記第２の促進演出の実行を制限し（例えば、演出制御用ＣＰＵ１２０がステップＳ６０９の処理を実行する部分）、
前記遊技制御手段は、前記第１の促進演出が実行された後に前記特定表示結果となったときと前記第２の促進演出が実行された後に前記特定表示結果となったときとで、異なる確率にて前記第２状態に制御する、
ことを特徴としている。
この特徴によれば、第１の促進演出の実行前と実行後の少なくともいずれか一方における所定期間と第１の促進演出の実行中の期間は第２の促進演出の実行が制限されため、遊技者の動作が煩雑になることによる遊技興趣の低下を防止することができる。
【手続補正３】
【補正対象書類名】明細書
【補正対象項目名】０１３２
【補正方法】変更
【補正の内容】
【０１３２】
主基板１１では、所定の電源基板からの電力供給が開始されると、遊技制御用マイクロコンピュータ１００が起動し、ＣＰＵ１０３によって遊技制御メイン処理となる所定の処理が実行される。遊技制御メイン処理を開始すると、ＣＰＵ１０３は、割込み禁止に設定した後、必要な初期設定を行う。この初期設定では、例えばＲＡＭ１０２がクリアされる。また、遊技制御用マイクロコンピュータ１００に内蔵されたＣＴＣ（カウンタ／タイマ回路）のレジスタ設定を行う。これにより、以後、所定時間（例えば、２ミリ秒）ごとにＣＴＣから割込み要求信号がＣＰＵ１０３へ送出され、ＣＰＵ１０３は定期的にタイマ割込み処理を実行することができる。初期設定が終了すると、割込みを許可した後、ループ処理に入る。なお、遊技制御メイン処理では、パチンコ遊技機１の内部状態を前回の電力供給停止時における状態に復帰させるための処理を実行してから、ループ処理に入るようにしてもよい。